(57)【要約】      （修正有）【課題】製造が簡単であり、量産を安価に行うことができ、しかも把持が確実であり、手に障害を有する障害者であっても容易に把持できる把持部を提供する。【解決手段】本把持部においては、前記把持部の横断面の外周が略六角形であり、前記略六角形は３個の凸状弧と３個の弦とが凸状弧−弦−凸状弧−弦−凸状弧−弦の順に交互に連続して繋がって形成され、前記把持部の長軸方向において、前記凸状弧は凸状弧面を形成し、前記弦は弦面を形成し、前記凸状弧面と前記弦面とが交互に連続して繋がることにより、前記把持部の外周面を形成する。この把持部は、円柱状の棒材を切削することにより、簡単に製造できる。この把持部を手すり、リハビリ用運動具及びスポーツ用具などに使用することにより、身体障害者、患者及び高齢者等に便益をもたらす。【選択図】図１
0003167947.tif 000002
【実用新案登録請求の範囲】
【請求項１】
人が手で把持する把持部であって、前記把持部の横断面の外周が略六角形であり、前記略六角形は３個の凸状弧と３個の弦とが凸状弧−弦−凸状弧−弦−凸状弧−弦の順に交互に連続して繋がって形成され、前記把持部の長軸方向において、前記凸状弧は凸状弧面を形成し、前記弦は弦面を形成し、前記凸状弧面と前記弦面とが交互に連続して繋がることにより、前記把持部の外周面を形成することを特徴とする略六角形型把持部。
【請求項２】
前記凸状弧が円弧であり、前記凸状弧面が円弧面である請求項１に記載の略六角形型把持部。
【請求項３】
前記略六角形は、前記弦の長さ及び前記円弧の円弧弦の長さが全て同一である略六角形であり、前記円弧の中心点は前記略六角形の中心点に一致する請求項２に記載の略六角形型把持部。
【請求項４】
請求項１〜３のいずれかに記載の把持部が、人が手で把持して動作を安定化させる手すりの把持部であることを特徴とする略六角形型手すり。
【請求項５】
前記手すりは床面に対して平行又は傾斜状に配置され、前記把持部の前記凸状弧面の１つが前記床面へ向くように前記手すりが配置される請求項４に記載の略六角形型手すり。
【請求項６】
前記手すりは床面に対して平行又は傾斜状に配置され、前記把持部の前記凸状弧面の１つが天井部へ向くように前記手すりが配置される請求項４に記載の略六角形型手すり。
【請求項７】
前記手すりは壁面へ縦方向に取り付けられ、前記把持部の前記凸状弧面の１つが前記壁面へ向くように前記手すりが配置される請求項４に記載の略六角形型手すり。
【請求項８】
前記手すりは壁面へ縦方向に取り付けられ、前記把持部の弦面の１つが前記壁面へ向くように前記手すりが配置される請求項４に記載の略六角形型手すり。
【請求項９】
前記手すりは、横方向に形成された横手すり部と、縦方向に形成された縦手すり部とを少なくとも有し、前記横手すり部の前記把持部における前記弦面の１つが天井側へ向いて上部弦面となる様に配置され、前記縦手すり部の前記把持部における前記弦面の１つが前記上部弦面と向かい合う様に配置される請求項４に記載の略六角形型手すり。
【請求項１０】
前記手すりは、横方向に形成された横手すり部と、縦方向に形成された縦手すり部とを少なくとも有し、前記横手すり部の前記把持部における前記凸状弧面の１つが天井側へ向いて上部凸状弧面となる様に配置され、前記縦手すり部の前記把持部における前記凸状弧面の１つが前記上部凸状弧面と向かい合う様に配置される請求項４に記載の略六角形型手すり。
【請求項１１】
請求項１〜３のいずれかに記載の把持部が連結され、前記把持部を把持する手を運動させることを特徴とする略六角形型リハビリ用運動具。
【請求項１２】
請求項１〜３のいずれかに記載の把持部が連結されることを特徴とする略六角形型スポーツ用具。
【考案の詳細な説明】
【技術分野】
【０００１】
本考案は、手に把持されるための把持部に関するものであり、更に詳細には、手すり及び運動具等に装備される把持部に関するものである。
【背景技術】
【０００２】
手に障害を有する身体障害者、患者又は高齢者等が、手すりなどの把持部を使用する際には、この把持部への把持の容易性が特に重要になる。従来の把持部においては、実開平７−３８３８４号公報（特許文献１）などに示される通り、断面１０２が丸形となっている。従来においては、この断面が太いほど把持が容易になるとされていた。
【０００３】
又、把持の容易度を高めるために、把持部に突起などを付けることなども行われている。例として、実開平６−１６５７９号公報（特許文献２）には、図１７の（１７Ｂ）に図示されているとおり、凹部１１２が取り付けられ、（１７Ａ）に図示されている特許文献１の把持部１０１よりも把持が容易である把持部１１１が記載されている。
【先行技術文献】
【特許文献】
【０００４】
【特許文献１】実開平７−３８３８４号公報
【特許文献２】実開平６−１６５７９号公報
【考案の概要】
【考案が解決しようとする課題】
【０００５】
しかし、実際に把持部として利用できる太さには限度がある。例えば、太さが太くなるほど、把持部が重くなり、この把持部の取り付けが困難になる。又、本考案者の研究により、太い把持部は必ずしも把持が容易ではないことが判明している。又、凹凸を有する特許文献２の手すりの把持部は、構造が複雑であり、製造が簡単ではない。
【課題を解決するための手段】
【０００６】
従って、本考案は、製造が簡単であり、量産を安価に行い易く、しかも把持が確実であり、太くなくても確実に把持できる把持部を提供するためのものであり、本考案の把持部は、円柱から矩形型の弦面が３つ切削されたことにより、略六角形の断面が形成された把持部である。
【０００７】
従って、本考案の第１の形態は、人が手で把持する把持部であって、前記把持部の横断面の外周が略六角形であり、前記略六角形は３個の凸状弧と３個の弦とが凸状弧−弦−凸状弧−弦−凸状弧−弦の順に交互に連続して繋がって形成され、前記把持部の長軸方向において、前記凸状弧は凸状弧面を形成し、前記弦は弦面を形成し、前記凸状弧面と前記弦面とが交互に連続して繋がることにより、前記把持部の外周面を形成する略六角形型把持部である。
【０００８】
本考案の第２の形態は、第１の形態において、前記凸状弧が円弧であり、前記凸状弧面が円弧面である略六角形型把持部である。
【０００９】
本考案の第３の形態は、第２の形態において、前記略六角形が、前記弦の長さ及び前記円弧の円弧弦の長さが全て同一である略六角形であり、前記円弧の中心点は前記略六角形の中心点に一致する略六角形型把持部である。
【００１０】
本考案の第４の形態は、第１〜３の形態における把持部が、人が手で把持して動作を安定化させる手すりの把持部である略六角形型手すりである。
【００１１】
本考案の第５の形態は、第４の形態において、前記手すりが床面に対して平行又は傾斜状に配置され、前記把持部の前記凸状弧面の１つが前記床面へ向くように前記手すりが配置される略六角形型手すりである。
【００１２】
本考案の第６の形態は、第４の形態において、前記手すりが床面に対して平行又は傾斜状に配置され、前記把持部の前記凸状弧面の１つが天井部へ向くように前記手すりが配置される略六角形型手すりである。
【００１３】
本考案の第７の形態は、第４の形態において、前記手すりが壁面へ縦方向に取り付けられ、前記把持部の前記凸状弧面の１つが前記壁面へ向くように前記手すりが配置される略六角形型手すりである。
【００１４】
本考案の第８の形態は、第４の形態において、前記手すりが壁面へ縦方向に取り付けられ、前記把持部の弦面の１つが前記壁面へ向くように前記手すりが配置される略六角形型手すりである。
【００１５】
本考案の第９の形態は、第４の形態において、前記手すりが、横方向に形成された横手すり部と、縦方向に形成された縦手すり部とを少なくとも有し、前記横手すり部の前記把持部における前記弦面の１つが天井側へ向いて上部弦面となる様に配置され、前記縦手すり部の前記把持部における前記弦面の１つが前記上部弦面と向かい合う様に配置される略六角形型手すりである。
【００１６】
本考案の第１０の形態は、第４の形態において、前記手すりが、横方向に形成された横手すり部と、縦方向に形成された縦手すり部とを少なくとも有し、前記横手すり部の前記把持部における前記凸状弧面の１つが天井側へ向いて上部凸状弧面となる様に配置され、前記縦手すり部の前記把持部における前記凸状弧面の１つが前記上部凸状弧面と向かい合う様に配置される略六角形型手すりである。
【００１７】
本考案の第１１の形態は、第１〜３の形態のいずれかにおける把持部が連結され、前記把持部を把持する手を運動させることを特徴とする略六角形型リハビリ用運動具である。
【００１８】
本考案の第１２の形態は、第１〜３の形態のいずれかにおける把持部が連結されることを特徴とする略六角形型スポーツ用具である。
【考案の効果】
【００１９】
本考案の第１の形態によれば、本形態の把持部が凸状弧面と弦面とが交互に連続して繋がった略六角形型把持部であるので、突起を有し、把持されやすく、しかも構造が簡単であり、製造が容易な把持部を得ることができる。人間の手は、棒状の物体を把持するときに、親指の基節及び末節、その他の指の基節、中節及び末節、並びに手の手掌が略六角形を形成する。従って、本考案の把持部の断面を略六角形とすることにより、手の手掌及び各指が形成する形（手の縦アーチ）に合致し、前記把持部が把持されやすくなる。
【００２０】
又、中実の棒材を切削することにより、簡単に本考案の把持部を得ることができるので、旋盤などの汎用機械を使用して、安価な棒材を簡単な工程に従って加工することにより、本考案の把持部の大量生産を達成することができる。本考案の把持部の材料となる棒材として、中実の棒材を使用することにより、切削加工による工程の簡略化を図ることができる。しかし、中空の棒材を使用した方が軽量化できる。材質としては、木、プラスチック、金属、陶器、及びガラス等が使用できる。これらの材料の内、木が加工性の点で最も好ましい。本考案の把持部の太さとしては、２ｃｍ〜６ｃｍが好ましく、３ｃｍ〜４ｃｍが特に好ましい。機能の観点から見れば、人差し指及び／又は中指の先端が、手掌が接触する面の正反対側の面と接触できるような太さが最も好ましい。
【００２１】
本考案の第２の形態によれば、前記凸状弧が円弧であり、前記凸状弧面が円弧面であるので、安価に入手できる円柱状の棒材を加工することにより、本考案の把持部を製造できる。従って、本考案の把持部を安価且つ大量に供給することができる。
【００２２】
本考案の第３の形態によれば、前記略六角形は、前記弦の長さ及び前記円弧の円弧弦の長さが全て同一な略六角形であり、前記円弧の中心点は前記略六角形の中心点に一致するので、対称性が高い把持部を得ることができ、使用の融通性及び製造の容易性が高い把持部を得ることができる。
【００２３】
本考案の第４の形態によれば、本考案の把持部を手すりに応用するので、量産性が高く且つ極めて把持されやすい把持部を手すりとして利用することにより、極めて実用性が高い手すりを得ることができる。特に、手などに障害を有する身体障害者などの歩行及び直立を容易にさせるので、これらの身体障害者などの生活の質（ＱＯＬ、クオリティー・オブ・ライフ）を向上させることができる。
【００２４】
本考案の第５の形態によれば、前記手すりは床面に対して平行又は傾斜状に配置され、前記把持部の前記凸状弧面の１つが前記床面へ向くように前記手すりが配置されるので、廊下や階段において、把持されやすい手すりを得ることができる。後に記述するとおり、本考案者の研究によれば、本考案の把持部を手すりに応用する際に、前記凸状弧面が床面へ向くように前記把持部を配置することにより、身体障害者の評価が高い手すりを得ることができる。従って、この様な配置を廊下や階段に設置される手すりに応用することにより、安価且つ簡単に、身体障害者などの歩行及び直立を容易にすることができる。
【００２５】
本考案の第６の形態によれば、前記手すりは床面に対して平行又は傾斜状に配置され、前記把持部の前記凸状弧面の１つが天井部へ向くように前記手すりが配置されるので、第５の形態と同様に、廊下や階段などにおいて本形態の把持部の配置を採用することにより、使用者の歩行及び直立を容易にさせることができる。
【００２６】
本考案の第７の形態によれば、前記手すりは壁面へ縦方向に取り付けられ、前記把持部の前記凸状弧面の１つが前記壁面へ向くように前記手すりが配置されるので、直立しながらの操作が必要となる場所（例えば取手を有する扉部）において、本形態の把持部の配置を採用して、使用者の直立安定を高めることができる。
【００２７】
本考案の第８の形態によれば、前記手すりは壁面へ縦方向に取り付けられ、前記把持部の弦面の１つが前記壁面へ向くように前記手すりが配置されるので、第７の形態と同様に、直立しながらの操作が必要となる場所において、使用者の直立安定を高めることができる。
【００２８】
本考案の第９の形態によれば、前記手すりは、横方向に形成された横手すり部と、縦方向に形成された縦手すり部とを有するので、直立、歩行及び座位置からの起立などの複数の動作が必要となる場所（例えば便所）において、前記動作中における使用者の安定を高めることができる。本形態においては、前記横手すり部の前記上部弦面と、前記縦手すり部の前記弦面の１つとが向かい合うので、前記横手すり部に把持する手を縦手すり部へ移動させ易くなり、また逆方向も然りである。前記横手すり部と前記縦手すり部とが連結されている場合は、前記上部弦面が、向かい合う前記縦手すり部と連続的に接続され、前記手の移行を更に容易になる。従って、前記複数の動作を行う場合に、必要に応じて前記手の把持位置を変えることにより、転倒を防止しながら前記動作を可能にする。更に、本形態における横手すり部の配置は、第５の形態における手すり配置と同様なので、第５の形態と同様に、特に把持されやすい手すりが得られれる。
【００２９】
本考案の第１０の形態によれば、前記手すりは、横方向に形成された横手すり部と、縦方向に形成された縦手すり部とを少なくとも有するので、第９の形態と同様に、複数の動作が必要となる場所において、前記動作中における使用者の安定を高めることができる。又、本形態における横手すり部の配置は、第６の形態における手すり配置と同様なので、第６の形態と同様に、特に把持されやすい手すりが得られる。
【００３０】
本形態の第１１の形態によれば、本形態のリハビリ用運動具に、本考案の把持部が連結され、前記把持部を把持する手を運動させるので、身体障害者により操作され易く、リハビリの効果が高いリハビリ用運動具が得られる。
【００３１】
本形態の第１２の形態によれば、本形態のスポーツ用具に、本考案の把持部が連結されるので、身体障害者などによる使用が可能で、リハビリにも役立つスポーツ用具が得られる。ここにおけるスポーツ用具としては、棒状のものが好ましく、例としては、野球用のバット、テニスやバドミトン用のラケット及びゴルフ用のクラブ等が挙げられる。
【図面の簡単な説明】
【００３２】
【図１】本考案の把持部を製造する際の製造工程図である。
【図２】円柱又は楕円柱から本考案の把持部を得る際の横断面を示す概略断面図である。
【図３】廊下及び階段において本考案の手すりを使用した場合の概略斜視図である。
【図４】図３における横手すり２５の概略断面図である。
【図５】図４の（４Ａ）及び（４Ｂ）における把持部を手により把持した場合の概略構成図である。
【図６】ドア付近において本考案の手すりを使用した場合の概略斜視図である。
【図７】縦手すりの把持部の概略断面図である。
【図８】横手すり部と縦手すり部とを有する手すり（Ｌ字状手すり）を便所に応用した場合の概略横面図である。
【図９】図８のＬ字状手すりにおける横手すり部及び縦手すり部の概略断面図である。
【図１０】評価実験において使用された手すりモデルの概略斜視図である。
【図１１】図１０に図示される手すりモデルの評価における評価点の採点方法を示す採点表である。
【図１２】図１０における手すりモデルを横手すりとして使用した場合の評価点得点を示す棒状グラフである。
【図１３】図１０における手すりモデルを縦手すりとして使用した場合の評価点得点を示す棒状グラフである。
【図１４】本考案の手すりを自宅トイレに採用した場合の予測効果を評価するアンケートの結果を示す棒状グラフである。
【図１５】本考案の把持部を利用したリハビリ用運動具の概略正面図である。
【図１６】本考案の把持部を利用したスポーツ用具である野球用バットの概略正面図である。
【図１７】従来技術における手すりの把持部の概略断面図である。
【考案を実施するための形態】
【００３３】
以下に、図面に従って、本考案の実施形態について詳細に説明する。図１は、本考案の把持部１を製造する際の製造工程図である。図１の（１Ａ）においては、円柱６の端部における円２（即ち、円柱６の横断面）に、コンパス等を使用することにより分割線３を描線して、円２を６分割する。（１Ｂ）においては、円２と分割線３の接点から、近隣するもう一つの接点へ線を引いて、３本の弦５を描線する。これらの３本の弦５に沿って、長軸方向へ円柱６を切削する。（１Ｃ）においては、この切削により、３つの弦面８が形成されることにより、把持部１が完成する。円２から由来する３つの凸状弧である円弧４は、３つの凸状弧面である円弧面７を長軸方向へ形成する。これらの弦面８と円弧面７とが外周面を形成する。又、３つの弦５と３つの円弧４とは略六角形９を形成する。この略六角形９の中心点５２は、円２の中心点５０と一致し、従って３つの円弧４の中心点と一致する。図１に図示されるとおり、本考案の把持部１は、円柱２を切削することにより製造できるので、安価な円柱を、旋盤などの汎用工具を利用して製造することができ、短期間で安価に大量の把持部１を得ることができる。
【００３４】
図２は円柱又は楕円柱から本考案の把持部を得る際の横断面を示す概略断面図である。尚、弦５及び円弧弦１０を図示するため、断面を示す斜線は省略されている。図２の（２Ａ）は、図１に図示される把持部１製造における概略断面図である。（２Ａ）においては、３つの弦５の長さ及び円弧４の弦部である３つの円弧弦１０の長さは同一である。（２Ｂ）は、円２に、長さが不均一な弦５を３つ描線して、不均一な３つの弦５と、不均一な３つの円弧弦１０を有する３つの円弧４とを有する略六角形９を形成させて、この略六角形９を把持部１の横断面とする際の概略断面図である。又、（２Ｃ）は、歪円である楕円１１から３つの弦５と３つの凸状弧１２を有する略六角形９を形成することにより、楕円柱から把持部１を製造する際の概略断面図である。尚、歪円としては、卵形などの形状も利用可能である。この様に、本考案における把持部１は、真円を横断面とする円柱から製造される必要は無く、また把持部１の横断面である略六角形９の弦５及び円弧弦１０が全て同一の長さである必要もない。
【００３５】
本考案の把持部１は、手すりへの応用に好適である。図３は、廊下及び階段において本考案の手すりを使用した場合の概略斜視図である。廊下２３には横手すり２５が配置され、階段２４には傾斜手すり２６が配置されている。ここにおいては、横手すり２５及び傾斜手すり２６の把持部１の配置は、図４の（４Ａ）に図示される下向き配置であるが、これらの把持部１の配置が、（４Ｂ）に図示される上向き配置であっても良い。
【００３６】
図４は、図３における横手すり２５のＡ−Ａ方向への概略断面図である。（４Ａ）においては、手すりの把持部１における凸状弧面である円弧面７の１つが下方（即ち床面への方向）へ向いている。（この様な把持部１の配置を、以後「下向き」と称する。）又、（４Ｂ）においては、把持部１の円弧面７の１つが上方（即ち天井部への方向）へ向いている。（この様な把持部１の配置を、以後「上向き」と称する。）後に詳細に説明するとおり、把持部１を下向き又は上向きに配置することにより、把持部１が特に把持されやすくなる。尚、（４Ａ）及び（４Ｂ）においては、把持部１は、取付部１３にビス留めされ、支持部１４及びフランジ部１５を介して、フランジ部１５のビスにより壁面１６に取り付けられるが、他の取付方法を使用しても良い。例えば、把持部１の両端を壁面１６方向へ湾曲させて、これらの湾曲部を介して把持部１を壁面１６に取り付けても良い。
【００３７】
図５は、図４の（４Ａ）及び（４Ｂ）における把持部を手により把持した場合の概略構成図である。図５の（５Ａ）においては、（４Ａ）における下向き配置をされた把持部１が手１７により把持されている。手１７の手掌１８が、天井部へ向く弦面８である上部弦面３４に接触し、人差し指１９の指先２０が、前記上部弦面とは正反対側の円弧面７に接触する。手１７と把持部１の外周面には隙間は生じず、また手１７の親指２１、手掌１８及び人差し指１９が略六角形を形成し、この略六角形が把持部１の横断面である略六角形９とほぼ合致するので、手１７による把持が特に良好になる。又、（５Ｂ）においては、（４Ｂ）における上向き配置をされた把持部１が把持されている。手１７の手掌１８が、天井部へ向く円弧面７である上部円弧面３５に接触し、人差し指１９の指先２０が、前記上部円弧面とは正反対の弦面８に接触する。（５Ａ）と同様に、手１７の指及び手掌１８が略六角形を形成するので、把持部１との合致が良く、手１７による把持が特に良好になる。
【００３８】
図６は、ドア付近において本考案の手すりを使用した場合の概略斜視図である。ドア２７の取手２８付近において、縦手すり２９が設置されている。使用者が取手２８を操作する際に、縦手すり２９を把持することにより、直立の安定を保つことができ、高齢者、患者及び身体障害者などにとって有用である。尚、図６においては、図７の（７Ａ）に図示されるとおり、縦手すり２９の把持部１における凸状弧面が壁面１６の方向へ向いているが、（７Ｂ）に図示されるとおり、弦面が壁面１６の方向へ向いていても良い。
【００３９】
図７は、縦手すり２９の把持部のＢ−Ｂ方向への概略断面図である。図７の（７Ａ）においては、凸状弧面である円弧面７が壁面１６へ向く。ここにおける縦手すり２９の把持部１が把持される際に、図５の（５Ａ）に図示される形態と同様に、弦面８の１つが手１７の手掌１８に接触する。尚、ここにおいて手掌１８に接触する弦面８は、壁面１６から最も離れた位置に配置される。又、（７Ｂ）においては、弦面８が壁面１６へ向くので、把持部１が把持される際に、図５の（５Ｂ）に図示される形態と同様に、円弧面７の１つが手１７の手掌１８に接触する。ここにおいて手掌１８に接触する円弧面７は、壁面１６から最も離れた位置にある。
【００４０】
図８は、横手すり部と縦手すり部とを有する手すりを便所に応用した場合の概略横面図である。ここにおける手すりは、横手すり部３２及び縦手すり部３３を有するＬ字状手すり３１となっている。便器３０の横上に、横手すり部３２が配置され、前記便器３０から離れた場所に、縦手すり部３３が配置される。使用者は、横手すり部３２及び縦手すり部３３を使用して、直立、歩行、便器３０への着座及び便器３０からの起立を行う。これらの動作の組合せを行う場合には、把持する手１７を横手すり部３２と縦手すり部３３との間で移動させる必要がある。この移動を容易にさせるために、横手すり部３２の外周面及び縦手すり部３３の外周面が、連結部において連続的且つ滑らかに接続される。図８におけるＬ字状手すり３１の横手すり部３２における把持部の配置は、図４の（４Ａ）に図示される下向き配置でも良いし、（４Ｂ）に図示される上向き配置でも良い。図９においては、両方の配置が説明される。
【００４１】
図９は、図８のＬ字状手すりにおける横手すり部及び縦手すり部のＣ−Ｃ及びＤ−Ｄ方向への概略断面図である。図９の（９Ａ）においては、横手すり部３２は下向きとなっていて、天井側へ向く弦面８が上部弦面３４となる。（９Ａ）の横手すり部３２に接続する縦手すり部３３における弦面８の１つは、（９Ｂ）に図示されるとおり、横手すり部３２へ向い、この弦面８が上部弦面３４と向かい合う。この様な配置により、使用者の便器３０への着座及び便器３０からの起立などの際に、手１７の把持位置を横手すり部３２と縦手すり部３３との間で、必要に応じて容易に移動させることができる。
【００４２】
図９の（９Ｃ）においては、横手すり部３２は上向きとなっていて、天井側へ向く円弧面７が、上部凸状弧面である上部円弧面３５となる。（９Ｃ）の横手すり部３２に接続する縦手すり部３３における凸状弧面である円弧面７の１つは、（９Ｄ）に図示されるとおり、横手すり部３２へ向い、この円弧面７が上部円弧面３５と向かい合う。この様な配置も、便器３０の使用者の把持位置を移動し易くするのに役立つ。
【００４３】
以下において、本考案の把持部１を手すりとして使用した場合の評価実験の説明を行う。図１０は、評価実験において使用された手すりモデルの概略斜視図である。この実験の為に、コ字状型のフレーム３７に、本考案の把持部１（直径３２ｍｍ）又は従来技術における円柱型の把持部１０１を嵌め込んで手すりモデル３６を作製した。これらの手すりモデル３６を使用して、片手のみに把持困難を有する３６名の被検者に対して、横手すり及び縦手すりの実施評価を行った。（１０Ａ）は、図４の（４Ａ）における下向き配置がなされた手すりモデル３６である。（１０Ｂ）は、特許文献１の従来技術における円柱型の把持部１０１が嵌め込まれた手すりモデル３６である。（１０Ｃ）は、図４の（４Ｂ）における上向き配置がなされた手すりモデル３６である。
【００４４】
図１１は、図１０に図示される手すりモデルの評価における評価点の採点方法を示す採点表である。本実験においては、「滑りにくい」、「手になじむ」、「指がかかりやすい」及び「握りやすい」の合計評価点を集計した。図１２は、手すりモデルを横手すりとして使用した場合の評価点得点を示す棒状グラフである。ここにおいて、Ａは図１０の（１０Ａ）における手すりモデル３６の使用を示し、Ｂは（１０Ｂ）における手すりモデル３６の使用を示し、Ｃは（１０Ｃ）における手すりモデル３６の使用を示す。横手すりでは、患側手（把持困難手）で３種類の把持部を握った場合、Ｂと比べてＡとＣがそれぞれ、有意に得点が高かった。その有意性は、Ｂ対Ｃよりも、Ｂ対Ａの方が高かった。この結果から、患側手で握った場合は、同じ略六角形型把持部でも、Ｂ（円柱）と比べると、Ｃ（上向き）よりもＡ（下向き）のほうが握り易いことが明らかになった。さらに、３種類の把持部を、健側手と患側手で比較した場合、Ｂのみ、患側手において有意に得点が低かった。この結果から、Ｂ（円柱）は、健側手で握った場合よりも患側手で握った場合のほうが、握りにくいことが明らかになった。これらの結果から、横手すりでは、Ｂ（円柱）よりも、Ａ及びＣのほうが握り易く、その傾向は患側手において高かった。また、同じ把持部の両手での比較では、Ｂ（円柱）のみが、患側手において、握りにくい傾向が高かった。
【００４５】
図１３は、手すりモデルを縦手すりとして使用した場合の評価点得点を示す棒状グラフである。図１２と同様に、Ａは図１０の（１０Ａ）の使用を示し、Ｂは（１０Ｂ）の使用を示し、Ｃは（１０Ｃ）の使用を示す。縦手すりでは、患側手で３種類の把持部を握った場合、Ｂに比べてＡが、有意に得点が高かった。そして、患側手でのみ、Ｃ（上向き）に比べてＡ（下向き）が有意に得点が高かった。さらに、３種類の把持部を、健側手と患側手で比較した場合、すべてに有意差は認められなかった。これらの結果から、縦手すりでは、患側手において、Ｂ（円柱）よりも、Ａ及びＣのほうが握り易い傾向にあった。更に、患側手でのみ、Ｃ（上向き）よりもＡ（下向き）のほうが握り易い傾向が高かった。又、同じ把持部の両手での比較では、握り易さに違いがない傾向にあった。
【００４６】
以上、把持部の握り易さを手触り評価で検討した結果、横手すりと縦手すり、健側手と患側手ともに、円柱把持部よりも略六角形型把持部のほうが握り易く、患側手においてより握り易い傾向がみられた。また、同一把持部で、健側手と患側手での握り易さを比較すると、横手すりの円柱把持部（Ｂ）が、患側手で握りにくい傾向がみられた。
【００４７】
また、同被検者に対して、「もし、略六角形型把持部を、自宅のトイレの手すりに設置したら、より使いやすくなると思うか」について、アンケートを行った。図１４は、この評価アンケートの結果を示す棒状グラフである。前記質問に対し、「健側手と患側手両方ともに使いやすくなる」が、「健側手と患側手両方ともに使いやすくならない」に対して有意に高かった。これは、前述の手触り評価結果で、略六角形型把持部が患側手だけでなく、健側手にも高い評価を得ていることと対応している。また、「患側手のみ使いやすくなる」の回答数が、「健側手のみ使いやすくなる」と「健側手と患側手両方ともに使いやすくならない」に対しても、次いで有意に高かった。これも、前述の手触り評価結果で、略六角形型把持部が患側手においてより握り易い傾向がみられたことに対応していると考えられる。次に、略六角形型把持部を、自宅の手すりとして、取り付けたいと思うか）の質問に対して、「取り付けたい」が２８件（７７．８％）で、多くの支持を得た。
【００４８】
図１５は、本考案の把持部１を利用した略六角形型リハビリ用運動具３８の概略正面図である。リハビリ用運動具３８は、把持部１及びそれに取り付けられた棒状部３９からなる。患者は、把持部１を把持して棒状部３９と共に持ち上げ、把持部１への握力を変化させるか、リハビリ用運動具３８全体を振り回すことなどにより、障害を有する手のリハビリを図ることができる。
【００４９】
図１６は、本考案の把持部を利用した略六角形型スポーツ用具である野球用バット４０の概略正面図である。把持部１がバット４０に装着されることにより、手に障害がある障害者でも、野球を楽しむことができ、これらの障害者のリハビリにも役に立つ。同様に、本考案の把持部を、バドミトンやテニス用のラケットや、ゴルフ用のクラブなどに組み込むこともできる。
【００５０】
尚、本考案は上記実施形態に限定されるものではなく、本考案の技術的思想を逸脱しない範囲における種々変形例、設計変更などをその技術的範囲内に包含するものであることは云うまでもない。
【産業上の利用可能性】
【００５１】
本考案の把持部は、製造が簡単であり、量産を安価に行い易く、しかも把持が確実であり、太くなくても確実に把持できる。従って、この把持部を応用した手すり、リハビリ用運動具及びスポーツ用具などを安価且つ簡単に、病院、リハビリセンター、スポーツジム及び老人ホーム等において使用することができ、身体障害者、高齢者及び患者への便益をもたらすことができる。
【符号の説明】
【００５２】
１    把持部
２    円
３    分割線
４    円弧
５    弦
６    円柱
７    円弧面
８    弦面
９    略六角形
１０    円弧弦
１１    楕円
１２    凸状弧
１３    取付部
１４    支持部
１５    フランジ部
１６    壁面
１７    手
１８    手掌
１９    人差し指
２０    指先
２１    親指
２２    中指
２３    廊下
２４    階段
２５    横手すり
２６    傾斜手すり
２７    ドア
２８    取手
２９    縦手すり
３０    便器
３１    Ｌ字状手すり
３２    横手すり部
３３    縦手すり部
３４    上部弦面
３５    上部円弧面
３６    手すりモデル
３７    フレーム
３８    リハビリ用運動具
３９    棒状部
４０    バット
５０    円の中心点
５１    凸状弧弦
５２    略六角形の中心点
１０１    従来の把持部
１０２    従来の把持部の断面
１１１    従来の把持部
１１２    従来の把持部の凹部
【図１】
0003167947.tif 000003
【図２】
0003167947.tif 000004
【図３】
0003167947.tif 000005
【図４】
0003167947.tif 000006
【図５】
0003167947.tif 000007
【図６】
0003167947.tif 000008
【図７】
0003167947.tif 000009
【図８】
0003167947.tif 000010
【図９】
0003167947.tif 000011
【図１０】
0003167947.tif 000012
【図１１】
0003167947.tif 000013
【図１２】
0003167947.tif 000014
【図１３】
0003167947.tif 000015
【図１４】
0003167947.tif 000016
【図１５】
0003167947.tif 000017
【図１６】
0003167947.tif 000018
【図１７】
0003167947.tif 000019